(57)【要約】【課題】より簡易に、クライアント端末装置に接続される表示装置の画面解像度を考慮した映像情報をサーバ装置から提供して、ユーザに違和感を感じさせることなく映像情報を表示装置に表示させることができるクライアント・サーバシステムを提案する。【解決手段】画面解像度がＨＤ又はＳＤの表示装置４と接続可能な複数のクライアント端末装置３…と、クライアント端末装置３に無線ネットワークＮを介して映像情報を提供するサーバ装置１と、を備えるクライアント・サーバシステムＳにおいて、サーバ装置１は、ＣＰＵ１１１に、ＨＤ映像情報をＳＤ映像情報に変換すべきか否かを判断させる送信可能解像度判断プログラム１１３４と、ＣＰＵ１１１に、ＳＤ情報を付与したＳＤ映像情報をクライアント端末装置３に送信させる映像情報送信プログラム１１３５と、を備えるよう構成した。【選択図】図２
2006319842.tif 000002
【特許請求の範囲】
【請求項１】
画面解像度が第１の解像度の表示装置又は画面解像度が第１の解像度よりも低い第２の解像度の表示装置と接続可能な複数のクライアント端末装置と、当該クライアント端末装置に無線ネットワークを介して映像情報を提供するサーバ装置と、を備えるクライアント・サーバシステムにおいて、
前記サーバ装置は、
前記クライアント端末装置に接続される表示装置の画面解像度と、当該クライアント端末装置を識別する識別情報とを対応付けて記憶する記憶手段と、
前記クライアント端末装置により送信された画面解像度と識別情報とを対応付けて前記記憶手段に記憶させる記憶制御手段と、
一又は複数の前記クライアント端末装置から、当該クライアント端末装置の識別情報とともに同一の映像情報の送信要求を受け付ける受付手段と、
前記受付手段が受け付けた映像情報の送信要求に対応する第１の解像度の映像情報を取得する取得手段と、
前記受付手段が受け付けたクライアント端末装置の識別情報と、前記記憶手段に記憶された識別情報とに基づいて、前記受付手段が受け付けたクライアント端末装置の中に、画面解像度が第２の解像度の表示装置を接続するクライアント端末装置があるか否かを判断する判断手段と、
前記判断手段により、前記受付手段が受け付けたクライアント端末装置の中に、画面解像度が第２の解像度の表示装置を接続するクライアント端末装置があると判断された場合、前記取得手段により取得された前記第１の解像度の映像情報を、第２の解像度の映像情報に変換するサーバ解像度変換手段と、
前記サーバ解像度変換手段により変換された第２の解像度の映像情報に、当該映像情報の解像度が第２の解像度である旨の解像度情報を付与し、当該解像度情報が付与された第２の解像度の映像情報を、前記受付手段が受け付けたクライアント端末装置に送信する映像情報送信手段と、を備え、
前記クライアント端末装置は、
当該クライアント端末装置に接続される表示装置の画面解像度を設定する設定手段と、
前記設定手段により設定された画面解像度と、当該クライアント端末装置の識別情報とを前記サーバ装置に送信する画面解像度送信手段と、
前記映像情報送信手段により送信された、前記解像度情報が付与された前記第２の解像度の映像情報を、当該解像度情報に基づいて当該クライアント端末装置に接続された表示装置の画面解像度に適合するように変換するクライアント解像度変換手段と、
前記クライアント解像度変換手段により変換された映像情報を、前記表示装置に表示させる表示制御手段と、
を備えることを特徴とするクライアント・サーバシステム。
【請求項２】
画面解像度が第１の解像度の表示装置又は画面解像度が第１の解像度よりも低い第２の解像度の表示装置と接続可能な複数のクライアント端末装置と、当該クライアント端末装置に無線ネットワークを介して映像情報を提供するサーバ装置と、を備えるクライアント・サーバシステムにおいて、
前記サーバ装置は、
一又は複数の前記クライアント端末装置から、当該クライアント端末装置の識別情報とともに同一の映像情報の送信要求を受け付ける受付手段と、
前記受付手段が受け付けた映像情報の送信要求に対応する第１の解像度の映像情報を取得する取得手段と、
前記取得手段により取得された第１の解像度の映像情報を、第２の解像度の映像情報に変換すべきか否かを所定の条件に基づいて判断する判断手段と、
前記判断手段により、前記取得手段により取得された第１の解像度の映像情報を、第２
の解像度の映像情報に変換すべきと判断された場合、前記取得手段により取得された前記第１の解像度の映像情報を、第２の解像度の映像情報に変換するサーバ解像度変換手段と、
前記サーバ解像度変換手段により変換された第２の解像度の映像情報に、当該映像情報の解像度が第２の解像度である旨の解像度情報を付与し、当該解像度情報が付与された第２の解像度の映像情報を、前記受付手段が受け付けたクライアント端末装置に送信する映像情報送信手段と、を備え、
前記クライアント端末装置は、
前記映像情報送信手段により送信された、前記解像度情報が付与された前記第２の解像度の映像情報を、当該解像度情報に基づいて当該クライアント端末装置に接続された表示装置の画面解像度に適合するように変換するクライアント解像度変換手段と、
前記クライアント解像度変換手段により変換された映像情報を、前記表示装置に表示させる表示制御手段と、
を備えることを特徴とするクライアント・サーバシステム。
【請求項３】
請求項２に記載のクライアント・サーバシステムにおいて、
前記クライアント端末装置に接続される表示装置の画面解像度と、当該クライアント端末装置を識別する識別情報とを対応付けて記憶する記憶手段、を備え、
前記判断手段は、
前記受付手段が受け付けたクライアント端末装置の識別情報と、前記記憶手段に記憶された識別情報とに基づいて、前記受付手段が受け付けたクライアント端末装置の中に、画面解像度が第２の解像度の表示装置を接続するクライアント端末装置があるか否かを判別し、前記受付手段が受け付けたクライアント端末装置の中に、画面解像度が第２の解像度の表示装置を接続するクライアント端末装置があると判別した場合には、前記取得手段により取得された第１の解像度の映像情報を、第２の解像度の映像情報に変換すべきと判断することを特徴とするクライアント・サーバシステム。
【発明の詳細な説明】
【技術分野】
【０００１】
本発明は、クライアント・サーバシステムに関する。
【背景技術】
【０００２】
近年、ネットワークを介して、サーバ装置からクライアント端末装置に映像情報（コンテンツ情報）を送信して提供するシステムが利用されている。サーバ装置には、例えば、テレビジョン装置、ビデオレコーダ、ＰＶＲ（Personal Video Recorder）、ＢＳ（Broadcasting Satellite）放送やＣＳ（Communication Satellite）放送のチューナ、ＳＴＢ（Set Top Box）、ＤＶＤ（Digital Versatile Disk）プレイヤーなどの複数種類の映像機
器が接続されており、サーバ装置は、サーバ装置に接続された映像機器に対応した映像情報を、クライアント端末装置に送信することができるようになっている。
【０００３】
サーバ装置から送信される映像情報の解像度と、クライアント端末装置に接続される表示装置の画面解像度とが異なる場合は、表示装置のスケーリング機能によって、映像情報の解像度を表示装置の画面解像度に合わせるようになっている。しかしながら、表示装置のスケーリング機能による方法では、例えば、表示装置に表示される映像のサイズが、一度、表示装置の画面サイズより小さくなって、その後、表示装置の画面サイズに合致するようになるなど、表示装置を見ている人に違和感を与えてしまうという問題がある。
【０００４】
具体的には、例えば、映像情報の送信の途中で映像情報の解像度が変化した場合、すなわち、サーバ装置がクライアント端末装置に、高解像度の映像情報（ＨＤ（High Definition）映像情報）を送信していたにも関わらず、映像情報送信レートが低下したり、映像
情報を送信するクライアント端末装置の個数が増えて、標準解像度の映像情報（ＳＤ（Standard Definition）映像情報）を送信しなければならなくなった場合などに、途中で、
表示装置に表示される映像のサイズが、表示装置の画面サイズに合致しなくなり、表示装置を見ている人に違和感を与えてしまうという問題がある。
【０００５】
そこで、表示装置のスケーリング機能によらず、映像情報が表示装置に入力される前に、クライアント端末装置において、サーバ装置から送信された映像情報の解像度を、表示装置の画面解像度に合わせる方法などが提案されている（特許文献１，２参照）。
【特許文献１】特開平１０−３２６１６９号公報
【特許文献２】特開平１０−１７１７３０号公報
【発明の開示】
【発明が解決しようとする課題】
【０００６】
しかしながら、特許文献１，２においては、クライアント端末装置に接続される表示装置の画面解像度に関わらず、サーバ装置から送信される映像情報の解像度は一律である。すなわち、例えば、サーバ装置は、画面解像度がＨＤの表示装置を接続するクライアント端末装置に対しても、ＳＤ映像情報を送信する。したがって、クライアント端末装置が、画面解像度がＨＤの表示装置に、当該ＳＤ映像情報をＨＤ映像情報に変換して表示したとしても、サーバ装置から送信されたＨＤ映像情報をそのまま表示する場合と比較して、画質が劣ってしまうという問題がある。この問題を解決するために、例えば、表示装置の画面解像度に合わせて、サーバ装置が、送信する映像情報の解像度を選択する方法が考えられるが、この方法では、サーバ装置は、各々の表示装置の画面解像度に対応させて、ＨＤ映像情報やＳＤ映像情報を個別に送信可能な構成にしなければならず、コストがかかってしまう。
【０００７】
また、特許文献１，２においては、クライアント端末装置は、必ず、サーバ装置から送
信された映像情報の解像度をチェックする。したがって、表示装置の画面解像度と同一の解像度の映像情報が送信されて、そのまま、表示装置に表示してもよい映像情報に対しても、当該チェックは行われるため、効率が悪いという問題がある。
【０００８】
本発明の課題は、より簡易に、クライアント端末装置に接続される表示装置の画面解像度を考慮した映像情報をサーバ装置から提供して、ユーザに違和感を感じさせることなく当該映像情報を表示装置に表示させることができるクライアント・サーバシステムを提案することにある。
【課題を解決するための手段】
【０００９】
上記課題を解決するために、請求項１に記載の発明は、画面解像度が第１の解像度の表示装置又は画面解像度が第１の解像度よりも低い第２の解像度の表示装置と接続可能な複数のクライアント端末装置と、当該クライアント端末装置に無線ネットワークを介して映像情報を提供するサーバ装置と、を備えるクライアント・サーバシステムにおいて、前記サーバ装置は、前記クライアント端末装置に接続される表示装置の画面解像度と、当該クライアント端末装置を識別する識別情報とを対応付けて記憶する記憶手段と、前記クライアント端末装置により送信された画面解像度と識別情報とを対応付けて前記記憶手段に記憶させる記憶制御手段と、一又は複数の前記クライアント端末装置から、当該クライアント端末装置の識別情報とともに同一の映像情報の送信要求を受け付ける受付手段と、前記受付手段が受け付けた映像情報の送信要求に対応する第１の解像度の映像情報を取得する取得手段と、前記受付手段が受け付けたクライアント端末装置の識別情報と、前記記憶手段に記憶された識別情報とに基づいて、前記受付手段が受け付けたクライアント端末装置の中に、画面解像度が第２の解像度の表示装置を接続するクライアント端末装置があるか否かを判断する判断手段と、前記判断手段により、前記受付手段が受け付けたクライアント端末装置の中に、画面解像度が第２の解像度の表示装置を接続するクライアント端末装置があると判断された場合、前記取得手段により取得された前記第１の解像度の映像情報を、第２の解像度の映像情報に変換するサーバ解像度変換手段と、前記サーバ解像度変換手段により変換された第２の解像度の映像情報に、当該映像情報の解像度が第２の解像度である旨の解像度情報を付与し、当該解像度情報が付与された第２の解像度の映像情報を、前記受付手段が受け付けたクライアント端末装置に送信する映像情報送信手段と、を備え、前記クライアント端末装置は、当該クライアント端末装置に接続される表示装置の画面解像度を設定する設定手段と、前記設定手段により設定された画面解像度と、当該クライアント端末装置の識別情報とを前記サーバ装置に送信する画面解像度送信手段と、前記映像情報送信手段により送信された、前記解像度情報が付与された前記第２の解像度の映像情報を、当該解像度情報に基づいて当該クライアント端末装置に接続された表示装置の画面解像度に適合するように変換するクライアント解像度変換手段と、前記クライアント解像度変換手段により変換された映像情報を、前記表示装置に表示させる表示制御手段と、を備えることを特徴とする。
【００１０】
請求項２に記載の発明は、画面解像度が第１の解像度の表示装置又は画面解像度が第１の解像度よりも低い第２の解像度の表示装置と接続可能な複数のクライアント端末装置と、当該クライアント端末装置に無線ネットワークを介して映像情報を提供するサーバ装置と、を備えるクライアント・サーバシステムにおいて、前記サーバ装置は、一又は複数の前記クライアント端末装置から、当該クライアント端末装置の識別情報とともに同一の映像情報の送信要求を受け付ける受付手段と、前記受付手段が受け付けた映像情報の送信要求に対応する第１の解像度の映像情報を取得する取得手段と、前記取得手段により取得された第１の解像度の映像情報を、第２の解像度の映像情報に変換すべきか否かを所定の条件に基づいて判断する判断手段と、前記判断手段により、前記取得手段により取得された第１の解像度の映像情報を、第２の解像度の映像情報に変換すべきと判断された場合、前記取得手段により取得された前記第１の解像度の映像情報を、第２の解像度の映像情報に
変換するサーバ解像度変換手段と、前記サーバ解像度変換手段により変換された第２の解像度の映像情報に、当該映像情報の解像度が第２の解像度である旨の解像度情報を付与し、当該解像度情報が付与された第２の解像度の映像情報を、前記受付手段が受け付けたクライアント端末装置に送信する映像情報送信手段と、を備え、前記クライアント端末装置は、前記映像情報送信手段により送信された、前記解像度情報が付与された前記第２の解像度の映像情報を、当該解像度情報に基づいて当該クライアント端末装置に接続された表示装置の画面解像度に適合するように変換するクライアント解像度変換手段と、前記クライアント解像度変換手段により変換された映像情報を、前記表示装置に表示させる表示制御手段と、を備えることを特徴とする。
【００１１】
請求項３に記載の発明は、請求項２に記載のクライアント・サーバシステムにおいて、前記クライアント端末装置に接続される表示装置の画面解像度と、当該クライアント端末装置を識別する識別情報とを対応付けて記憶する記憶手段、を備え、前記判断手段は、前記受付手段が受け付けたクライアント端末装置の識別情報と、前記記憶手段に記憶された識別情報とに基づいて、前記受付手段が受け付けたクライアント端末装置の中に、画面解像度が第２の解像度の表示装置を接続するクライアント端末装置があるか否かを判別し、前記受付手段が受け付けたクライアント端末装置の中に、画面解像度が第２の解像度の表示装置を接続するクライアント端末装置があると判別した場合には、前記取得手段により取得された第１の解像度の映像情報を、第２の解像度の映像情報に変換すべきと判断することを特徴とする。
【発明の効果】
【００１２】
請求項１に記載の発明によれば、記憶手段によって、クライアント端末装置に接続される表示装置の画面解像度と、当該クライアント端末装置を識別する識別情報とを対応付けて記憶することができ、判断手段によって、受付手段が受け付けたクライアント端末装置の識別情報と、記憶手段に記憶された識別情報とに基づいて、受付手段が受け付けたクライアント端末装置の中に、画面解像度が第２の解像度の表示装置を接続するクライアント端末装置があるか否かを判断することができ、サーバ解像度変換手段によって、判断手段により、受付手段が受け付けたクライアント端末装置の中に、画面解像度が第２の解像度の表示装置を接続するクライアント端末装置があると判断された場合、取得手段により取得された第１の解像度の映像情報を、第２の解像度の映像情報に変換することができる。
【００１３】
すなわち、サーバ装置は、クライアント端末装置に接続される表示装置の画面解像度を考慮して、当該クライアント端末装置に送信すべき映像情報の解像度を判断することができる。その一方で、サーバ装置が備える解像度変換手段は、第１の解像度の映像情報を第２の解像度の映像情報に変換するサーバ解像度変換手段のみである。したがって、表示装置に表示される画質をできるだけ落とさず、サーバ装置のコストを抑えることができる。
【００１４】
さらに、映像情報送信手段によって、サーバ解像度変換手段により変換された第２の解像度の映像情報に、当該映像情報の解像度が第２の解像度である旨の解像度情報を付与し、解像度情報が付与された第２の解像度の映像情報を、受付手段が受け付けたクライアント端末装置に送信することができ、クライアント解像度変換手段は、映像情報送信手段により送信された、解像度情報が付与された第２の解像度の映像情報を、解像度情報に基づいてクライアント端末装置に接続された表示装置の画面解像度に適合するように変換することができる。
【００１５】
したがって、クライアント端末装置は、サーバ装置から送信された映像情報の解像度をチェックする必要がないため、効率がよい。
【００１６】
また、映像情報が表示装置に入力される前に、クライアント端末装置において、サーバ装置から送信された映像情報の解像度を、表示装置の画面解像度に合わせることができるため、表示装置を見ている人に違和感を与えてしまうことがない。
【００１７】
さらに、画面解像度送信手段によって、設定手段により設定された画面解像度と、クライアント端末装置の識別情報とをサーバ装置に送信することができ、記憶制御手段によっ
て、画面解像度送信手段により送信された画面解像度と識別情報とを対応付けて記憶手段に記憶させることができる。
【００１８】
したがって、サーバ装置は、クライアント端末装置に接続される表示装置の画面解像度を、随時、把握することができるため、クライアント端末装置に接続される表示装置の画面解像度を、適切に考慮することができる。
【００１９】
請求項２に記載の発明によれば、判断手段によって、取得手段により取得された第１の解像度の映像情報を、第２の解像度の映像情報に変換すべきか否かを所定の条件に基づいて判断することができ、サーバ解像度変換手段によって、判断手段により、取得手段により取得された第１の解像度の映像情報を、第２の解像度の映像情報に変換すべきと判断された場合、取得手段により取得された第１の解像度の映像情報を、第２の解像度の映像情報に変換することができる。
【００２０】
すなわち、サーバ装置は、クライアント端末装置を考慮して、当該クライアント端末装置に送信すべき映像情報の解像度を判断して送信することができる。その一方で、サーバ装置が備える解像度変換手段は、第１の解像度の映像情報を第２の解像度の映像情報に変換するサーバ解像度変換手段のみである。したがって、表示装置に表示される画質をできるだけ落とさず、サーバ装置のコストを抑えることができる。
【００２１】
さらに、映像情報送信手段によって、サーバ解像度変換手段により変換された第２の解像度の映像情報に、当該映像情報の解像度が第２の解像度である旨の解像度情報を付与し、解像度情報が付与された第２の解像度の映像情報を、受付手段が受け付けたクライアント端末装置に送信することができ、クライアント解像度変換手段によって、映像情報送信手段により送信された、解像度情報が付与された第２の解像度の映像情報を、解像度情報に基づいてクライアント端末装置に接続された表示装置の画面解像度に適合するように変換することができる。
【００２２】
したがって、クライアント端末装置は、サーバ装置から送信された映像情報の解像度をチェックする必要がないため、効率がよい。
【００２３】
また、映像情報が表示装置に入力される前に、クライアント端末装置において、サーバ装置から送信された映像情報の解像度を、表示装置の画面解像度に合わせることができるため、表示装置を見ている人に違和感を与えてしまうことがない。
【００２４】
請求項３に記載の発明によれば、請求項２に記載の発明と同様の効果が得られることは無論のこと、記憶手段によって、クライアント端末装置に接続される表示装置の画面解像度と、当該クライアント端末装置を識別する識別情報とを対応付けて記憶することができ、判断手段によって、受付手段が受け付けたクライアント端末装置の識別情報と、記憶手段に記憶された識別情報とに基づいて、受付手段が受け付けたクライアント端末装置の中に、画面解像度が第２の解像度の表示装置を接続するクライアント端末装置があるか否かを判別し、受付手段が受け付けたクライアント端末装置の中に、画面解像度が第２の解像度の表示装置を接続するクライアント端末装置があると判別した場合には、取得手段により取得された第１の解像度の映像情報を、第２の解像度の映像情報に変換すべきと判断することができる。
【００２５】
したがって、サーバ装置は、クライアント端末装置に接続される表示装置の画面解像度を考慮して、当該クライアント端末装置に送信すべき映像情報の解像度を判断することができる。
【発明を実施するための最良の形態】
【００２６】
以下、図を参照して、本発明を実施するための最良の形態を詳細に説明する。なお、発明の範囲は、図示例に限定されない。
＜構成＞
まず、クライアント・サーバシステム、サーバ装置及びクライアント端末装置の構成を
説明する。
[クライアント・サーバシステムの構成]
クライアント・サーバシステムＳは、例えば、図１に示すように、各種映像機器２を接続したサーバ装置１、表示装置４と接続可能であり、リモートコントローラ５（以下、リモコン５）によって操作可能な複数のクライアント端末装置３…などから構成される。サーバ装置１とクライアント端末装置３とは、無線ネットワークＮを介して接続されており、互いに情報を送受信することができるようになっている。
【００２７】
なお、サーバ装置１に対するクライアント端末装置３の個数は、図１の限りではない。
【００２８】
クライアント端末装置３からサーバ装置１に送信される情報として、例えば、映像情報の送信要求などがある。映像情報の送信要求は、例えば、ユーザによるリモコン５に設けられた入力ボタンの押下に伴ってリモコン５からクライアント端末装置３に送信された映像情報の送信要求に関する信号に基づいて、クライアント端末装置３からサーバ装置１に送信される。
【００２９】
サーバ装置１からクライアント端末装置３に送信される情報として、例えば、映像情報などがある。映像情報は、例えば、サーバ装置１に接続された各種映像機器２から取得され、クライアント端末装置３に接続された表示装置４に表示される。
【００３０】
具体的には、例えば、リモコン５からの映像情報の送信要求に関する信号によって、ユーザが所望する映像情報を、表示装置４に表示するよう指示されると、クライアント端末装置３は、当該信号に基づく映像情報の送信要求をサーバ装置１に送信する。当該映像情報の送信要求を受信したサーバ装置１は、各種映像機器２から、当該映像情報の送信要求に対応したユーザが所望する映像情報を取得して、クライアント端末装置３に送信する。そして、クライアント端末装置３は、当該受信した映像情報を表示装置４に表示する。このようにして、サーバ装置１からクライアント端末装置３に映像情報が提供される。
【００３１】
ここで、例えば、第１の解像度を高解像度（ＨＤ（High Definition））とし、第１の
解像度よりも低い第２の解像度を標準解像度（ＳＤ（Standard Definition））とする。
【００３２】
表示装置４には、例えば、画面解像度が第１の解像度（高解像度（ＨＤ））の表示装置４と、画面解像度が第２の解像度（標準解像度（ＳＤ））の表示装置４とがある。
【００３３】
また、映像情報には、例えば、第１の解像度（高解像度（ＨＤ））の映像情報（以下、ＨＤ映像情報）と、第２の解像度（標準解像度（ＳＤ））の映像情報（以下、ＳＤ映像情報）とがある。本発明においては、サーバ装置１が各種映像機器２から取得する映像情報は、全て、ＨＤ映像情報であるとする。そして、サーバ装置１からクライアント端末装置３に送信される映像情報は、ＨＤ映像情報又はＳＤ映像情報であるとする。
【００３４】
無線ネットワークＮは、例えば、Bluetooth規格やIEEE（Institute of Electrical and
Electronic Engineers）802.11規格に準じた無線ＬＡＮ（Local Area Network）などの
ネットワークである。
[サーバ装置の構成]
サーバ装置１は、例えば、図２に示すように、制御部１１、サーバ解像度変換手段としての解像度変換部１２、エンコーダ１３、受付手段及び映像情報送信手段としての無線通信部１４などを備えて構成される。各部は、バス１ａによって接続されている。そして、サーバ装置１は、各種映像機器２を接続している。
【００３５】
制御部１１は、例えば、図２に示すように、ＣＰＵ（Central Processing Unit）１１
１、ＲＡＭ（Random Access Memory）１１２、記憶部１１３などを備えている。
【００３６】
ＣＰＵ１１１は、記憶部１１３に記憶されたサーバ装置１用の各種処理プログラムに従
って各種の制御動作を行う。
【００３７】
ＲＡＭ１１２は、ＣＰＵ１１１によって実行される処理プログラムなどを展開するためのプログラム格納領域や、入力データや上記処理プログラムが実行される際に生じる処理結果などを格納するデータ格納領域などを備える。
【００３８】
記憶部１１３は、サーバ装置１で実行可能なシステムプログラム、当該システムプログラムで実行可能な各種処理プログラム、これら各種処理プログラムを実行する際に使用されるデータ、ＣＰＵ１１１によって演算処理された処理結果のデータなどを記憶する。なお、プログラムは、コンピュータが読み取り可能なプログラムコードの形で記憶部１１３に記憶されている。
【００３９】
具体的には、記憶部１１３には、例えば、図２に示すように、記憶手段としての画面・映像データテーブル１１３１、画面解像度記憶プログラム１１３２、映像情報取得プログラム１１３３、送信可能解像度判断プログラム１１３４、映像情報送信プログラム１１３５などが記憶されている。
【００４０】
画面・映像データテーブル１１３１は、クライアント端末装置３に接続される表示装置４の画面解像度と、当該クライアント端末装置３を識別する識別情報としてのクライアント識別番号とを対応付けて記憶する。
【００４１】
具体的には、画面・映像データテーブル１１３１は、例えば、図３に示すように、「クライアント識別番号」記憶領域１１３１ａ、「画面解像度」記憶領域１１３１ｂ、「映像識別番号」記憶領域１１３１ｃなどを有している。
【００４２】
「クライアント識別番号」記憶領域１１３１ａは、クライアント端末装置３を識別するクライアント識別番号を記憶する。
【００４３】
「画面解像度」記憶領域１１３１ｂは、「クライアント識別番号」記憶領域１１３１ａに記憶されたクライアント識別番号のクライアント端末装置３に接続される表示装置４の画面解像度を記憶する。
【００４４】
「映像識別番号」記憶領域１１３１ｃは、サーバ装置１が、「クライアント識別番号」記憶領域１１３１ａに記憶されたクライアント識別番号のクライアント端末装置３に送信している映像情報を識別する映像識別番号を記憶する。
【００４５】
画面解像度記憶プログラム１１３２は、ＣＰＵ１１１に、クライアント端末装置３の画面解像度送信手段としての無線通信部３２（後述）により送信された画面解像度とクライアント識別番号とを対応付けて画面・映像データテーブル１１３１に記憶させる機能を実現させる。
【００４６】
具体的には、例えば、無線通信部１４が、クライアント端末装置３の無線通信部３２（後述）から送信されたクライアント端末装置３に接続される表示装置４の画面解像度と、クライアント端末装置３のクライアント識別番号とを受信すると、ＣＰＵ１１１は、画面解像度記憶プログラム１１３２を実行して、当該画面解像度と当該クライアント識別番号とを対応付けて、画面・映像データテーブル１１３１の「画面解像度」記憶領域１１３１ｂと「クライアント識別番号」記憶領域１１３１ａとに記憶させる。
【００４７】
ＣＰＵ１１１は、かかる画面解像度記憶プログラム１１３２を実行することによって、記憶制御手段として機能する。
【００４８】
映像情報取得プログラム１１３３は、ＣＰＵ１１１に、無線通信部１４が受け付けた映像情報の送信要求に対応するＨＤ映像情報を取得する機能を実現させる。
【００４９】
具体的には、例えば、無線通信部１４が、クライアント端末装置３の無線通信部３２（後述）から映像情報の送信要求を受け付けると、ＣＰＵ１１１は、映像情報取得プログラム１１３３を実行して、当該映像情報の送信要求に対応するＨＤ映像情報を、各種映像機
器２から取得する。
【００５０】
ＣＰＵ１１１は、かかる映像情報取得プログラム１１３３を実行することによって、取得手段として機能する。
【００５１】
送信可能解像度判断プログラム１１３４は、ＣＰＵ１１１に、ＣＰＵ１１１が映像情報取得プログラム１１３３を実行することにより取得されたＨＤ映像情報を、ＳＤ映像情報に変換すべきか否かを所定の条件に基づいて判断する機能を実現させる。
【００５２】
具体的には、例えば、ＣＰＵ１１１が映像情報取得プログラム１１３３を実行して、各種映像機器２からＨＤ映像情報を取得すると、ＣＰＵ１１１は、送信可能解像度判断プログラム１１３４を実行して、無線通信部１４が受け付けたクライアント端末装置３のクライアント識別番号と、画面・映像データテーブル１１３１の「クライアント識別番号」記憶領域１１３１ａに記憶されたクライアント識別番号とに基づいて、無線通信部１４が同一の映像情報の送信要求を受け付けたクライアント端末装置３の中に、画面解像度がＳＤの表示装置４を接続するクライアント端末装置３があるか否かの条件（所定の条件）を判別する。そして、ＣＰＵ１１１は、無線通信部１４が同一の映像情報の送信要求を受け付けたクライアント端末装置３の中に、画面解像度がＳＤの表示装置４を接続するクライアント端末装置３があると判別した場合には、ＣＰＵ１１１が映像情報取得プログラム１１３３を実行することにより取得されたＨＤ映像情報を、ＳＤ映像情報に変換すべきと判断する。
【００５３】
ＣＰＵ１１１は、かかる送信可能解像度判断プログラム１１３４を実行することによって、判断手段として機能する。
【００５４】
映像情報送信プログラム１１３５は、ＣＰＵ１１１に、解像度変換部１２により変換されたＳＤ映像情報に、当該映像情報の解像度がＳＤである旨の解像度情報としてのＳＤ情報を付与し、当該ＳＤ情報が付与されたＳＤ映像情報を、無線通信部１４が受け付けたクライアント端末装置３に送信する機能を実現させる。
【００５５】
具体的には、ＣＰＵ１１１が、送信可能解像度判断プログラム１１３４を実行することにより、ＣＰＵ１１１が映像情報取得プログラム１１３３を実行することにより取得されたＨＤ映像情報を、ＳＤ映像情報に変換すべきと判断して、解像度変換部１２に、当該ＨＤ映像情報をＳＤ映像情報に変換させると、ＣＰＵ１１１は、映像情報送信プログラム１１３５を実行して、解像度変換部１２により変換されたＳＤ映像情報に、ＳＤ情報を付与し、当該ＳＤ情報が付与されたＳＤ映像情報を、無線通信部１４から、無線通信部１４が映像情報の送信要求を受け付けたクライアント端末装置３の無線通信部３２（後述）に送信する。
【００５６】
ＣＰＵ１１１は、かかる映像情報送信プログラム１１３５を実行することによって、映像情報送信手段として機能する。
【００５７】
解像度変換部１２は、サーバ解像度変換手段として、ＣＰＵ１１１が送信可能解像度判断プログラム１１３４を実行することにより、ＣＰＵ１１１が映像情報取得プログラム１１３３を実行することにより取得されたＨＤ映像情報を、ＳＤ映像情報に変換すべきと判断された場合、ＣＰＵ１１１からの制御に従って、ＣＰＵ１１１が映像情報取得プログラム１１３３を実行することにより取得されたＨＤ映像情報を、ＳＤ映像情報に変換する。
【００５８】
具体的には、例えば、ＣＰＵ１１１が送信可能解像度判断プログラム１１３４を実行することにより、無線通信部１４が同一の映像情報の送信要求を受け付けたクライアント端末装置３の中に、画面解像度がＳＤの表示装置４を接続するクライアント端末装置３があると判断された場合、解像度変換部１２は、ＣＰＵ１１１からの制御に従って、ＣＰＵ１１１が映像情報取得プログラム１１３３を実行することにより取得されたＨＤ映像情報を、ＳＤ映像情報に変換する。
【００５９】
エンコーダ１３は、例えば、各種映像機器２から入力された映像情報を、所定のファイ
ル形式の圧縮映像情報にエンコードして出力する。
【００６０】
具体的には、例えば、エンコーダ１３は、各種映像機器２から入力された映像情報を、或いは、各種映像機器２から入力されて解像度変換部１２によって変換された映像情報を、ＭＰＥＧ−２（Moving Picture Experts Group phase 2）形式などの圧縮映像情報にエンコードする。
【００６１】
無線通信部１４は、無線ネットワークＮを介して、クライアント端末装置３との間で各種情報の送受信を行う。具体的には、無線通信部１４は、クライアント端末装置３との間で無線信号の送受信を行うためのアンテナ１４１やＲＦ（Radio Frequency）変換器（図
示省略）、Bluetooth規格やIEEE802.11規格に準じた無線ＬＡＮに接続するための無線Ｌ
ＡＮカード（図示省略）などを備えている。
【００６２】
具体的には、本発明における無線通信部１４は、例えば、受付手段として、一又は複数のクライアント端末装置３の無線通信部３２（後述）から、当該クライアント端末装置３のクライアント識別番号とともに映像情報の送信要求を受け付ける。また、本発明における無線通信部１４は、例えば、映像情報送信手段として、ＳＤ情報が付与されたＳＤ映像情報を、クライアント端末装置３の無線通信部３２（後述）に送信する。また、本発明における無線通信部１４は、例えば、ＣＰＵ１１１が送信可能解像度判断プログラム１１３４を実行することにより、ＣＰＵ１１１が映像情報取得プログラム１１３３を実行することにより取得されたＨＤ映像情報を、ＳＤ映像情報に変換すべきでないと判断された場合、当該ＨＤ映像情報を、クライアント端末装置３の無線通信部３２（後述）に送信する。
【００６３】
サーバ装置１に接続された各種映像機器２は、例えば、図２に示すように、テレビジョン装置２１などを含む。各種映像機器２は、サーバ装置１のＣＰＵ１１１からの制御、すなわち、例えば、映像情報取得プログラム１１３３などを実行したＣＰＵ１１１からの制御に従って動作する。各種映像機器２は、当該制御に従って、例えば、映像情報の送信要求に対応するＨＤ映像情報などをサーバ装置１に出力する。
【００６４】
なお、各種映像機器２は、図２に示すテレビジョン装置２１だけでなく、例えば、ビデオレコーダ、ＰＶＲ（Personal Video Recorder）、ＢＳ（Broadcasting Satellite）放
送やＣＳ（Communication Satellite）放送のチューナ、ＳＴＢ（Set Top Box）、ＤＶＤ（Digital Versatile Disk）プレイヤーなど、好適な任意の映像機器を含む。
[クライアント端末装置の構成]
クライアント端末装置３は、例えば、図４に示すように、信号受信部３１、画面解像度送信手段としての無線通信部３２、制御部３３、デコーダ３４、クライアント解像度変換手段としての解像度変換部３５などを備えて構成される。各部は、バス３ａによって接続されている。そして、クライアント端末装置３は、表示装置４を接続しており、リモコン５によって操作できるようになっている。
【００６５】
信号受信部３１は、例えば、リモコン５から送信された各種信号を受信する。
【００６６】
無線通信部３２は、サーバ装置１の無線通信部１４とほぼ同様の構成であって、無線ネットワークＮを介して、サーバ装置１との間で各種情報の送受信を行う。具体的には、無線通信部３２は、サーバ装置１との間で無線信号の送受信を行うためのアンテナ３２１やＲＦ（Radio Frequency）変換器（図示省略）、Bluetooth規格やIEEE802.11規格に準じた無線ＬＡＮに接続するための無線ＬＡＮカード（図示省略）などを備えている。
【００６７】
具体的には、本発明における無線通信部３２は、例えば、映像情報の送信要求を、サーバ装置１の無線通信部１４に送信し、当該映像情報の送信要求に対応した映像情報を、サーバ装置１の無線通信部１４から受信する。また、本発明における無線通信部３２は、例えば、画面解像度送信手段として、クライアント端末装置３に接続される表示装置４の画面解像度と、クライアント端末装置３のクライアント識別番号とをサーバ装置１の無線通
信部１４に送信する。
【００６８】
制御部３３は、例えば、図３に示すように、ＣＰＵ３３１、ＲＡＭ３３２、記憶部３３３などを備えている。
【００６９】
ＣＰＵ３３１は、記憶部３３３に記憶されたクライアント端末装置３用の各種処理プログラムに従って各種の制御動作を行う。
【００７０】
ＲＡＭ３３２は、ＣＰＵ３３１によって実行される処理プログラムなどを展開するためのプログラム格納領域や、入力データや上記処理プログラムが実行される際に生じる処理結果などを格納するデータ格納領域などを備える。
【００７１】
記憶部３３３は、クライアント端末装置３で実行可能なシステムプログラム、当該システムプログラムで実行可能な各種処理プログラム、これら各種処理プログラムを実行する際に使用されるデータ、ＣＰＵ３３１によって演算処理された処理結果のデータなどを記憶する。なお、プログラムは、コンピュータが読み取り可能なプログラムコードの形で記憶部３３３に記憶されている。
【００７２】
具体的には、記憶部３３３には、例えば、図３に示すように、画面解像度データ３３３１、画面解像度設定・送信プログラム３３３２、映像情報表示プログラム３３３３などが記憶されている。
【００７３】
画面解像度データ３３３１は、クライアント端末装置３に接続される表示装置４の画面解像度である。
【００７４】
画面解像度設定・送信プログラム３３３２は、ＣＰＵ３３１に、クライアント端末装置３に接続される表示装置４の画面解像度を設定し、当該設定された画面解像度と、クライアント端末装置３のクライアント識別番号とをサーバ装置１に送信する機能を実現させる。
【００７５】
具体的には、例えば、信号受信部３１が、リモコン５から表示装置４の画面解像度に関する信号を受信すると、ＣＰＵ３３１は、画面解像度設定・送信プログラム３３３２を実行して、当該信号に従って、表示装置４の画面解像度を設定し、当該設定された画面解像度を、画面解像度データ３３３１として、記憶部３３３に記憶させる。そして、ＣＰＵ３３１は、当該設定された画面解像度と、クライアント端末装置３のクライアント識別番号とを、無線通信部３２から、サーバ装置１の無線通信部１４に送信する。
【００７６】
ＣＰＵ３３１は、かかる画面解像度設定・送信プログラム３３３２を実行することによって、設定手段、画面解像度送信手段として機能する。
【００７７】
映像情報表示プログラム３３３３は、ＣＰＵ３３１に、解像度変換部３５により変換された映像情報を、表示装置４に表示させる機能を実現させる。
【００７８】
具体的には、例えば、解像度変換部３５によって、サーバ装置１の無線通信部１４により送信されたＳＤ情報が付与されたＳＤ映像情報を、当該ＳＤ情報に基づいてクライアント端末装置３に接続された表示装置４の画面解像度に適合するように変換すると、ＣＰＵ３３１は、映像情報表示プログラム３３３３を実行して、当該変換された映像情報を、表示装置４に表示させる。
【００７９】
ＣＰＵ３３１は、かかる映像情報表示プログラム３３３３を実行することによって、表示制御手段として機能する。
【００８０】
なお、ＣＰＵ３３１は、映像情報表示プログラム３３３３を実行して、サーバ装置１の無線通信部１４により送信された映像情報を、解像度変換部３５で変換されたか否かに関わらず、表示装置４に表示する。
【００８１】
デコーダ３４は、サーバ装置１の無線通信部１４により送信された映像情報（圧縮映像情報）に対して、当該圧縮映像情報のファイル形式に応じた処理を施し、当該圧縮映像情報を、映像情報にデコードする。
【００８２】
解像度変換部３５は、クライアント解像度変換手段として、ＣＰＵ３３１からの制御に従って、サーバ装置１の無線通信部１４により送信された、ＳＤ情報が付与されたＳＤ映像情報を、当該ＳＤ情報に基づいてクライアント端末装置３に接続された表示装置４の画面解像度に適合するように変換する。
【００８３】
具体的には、解像度変換部３５は、例えば、表示装置４の画面解像度がＨＤの場合、サーバ装置１の無線通信部１４により送信されたＳＤ情報が付与されたＳＤ映像情報を、当該ＳＤ情報に基づいてＨＤ映像情報に変換する。一方、表示装置４の画面解像度がＳＤの場合、サーバ装置１の無線通信部１４により送信されたＳＤ情報が付与されたＳＤ映像情報を、当該ＳＤ情報に基づいて変換しない。
【００８４】
表示装置４は、例えば、映像情報表示プログラム３３３３を実行したＣＰＵ３３１からの制御に従って、クライアント端末装置３から入力される映像情報を表示する。
【００８５】
リモコン５は、例えば、図３に示すように、各種入力ボタン５１などを備えている。リモコン５は、例えば、ユーザによって、各種入力ボタン５１のうちの何れかの入力ボタンが押下されると、当該入力ボタンに対応した信号を、クライアント端末装置３の信号受信部３１に送信する。
＜処理＞
次に、クライアント・サーバシステムＳにおける、クライアント端末装置３に接続される表示装置４の画面解像度の設定に関する処理（[表示装置の画面解像度設定処理]）及びクライアント端末装置３に接続される表示装置４に表示する映像情報の解像度変換に関する処理（[映像情報の解像度変換処理]）について説明する。
[表示装置の画面解像度設定処理]
まず、クライアント・サーバシステムＳにおける、クライアント端末装置３に接続される表示装置４の画面解像度の設定に関する処理について、図５のフローチャートを参照して説明する。
【００８６】
まず、例えば、クライアント端末装置３の信号受信部３１が、リモコン５から、ユーザによるリモコン５の所定の操作に伴って送信された表示装置４の画面解像度に関する信号を受信すると、クライアント端末装置３のＣＰＵ３３１は、画面解像度設定・送信プログラム３３３２を実行して、信号受信部３１が受信した信号に従って、表示装置４の画面解像度を設定する（ステップＳ１０１）。
【００８７】
具体的には、例えば、クライアント識別番号「１５」のクライアント端末装置３に接続された表示装置４の画面解像度が、「ＨＤ」に設定されたとする。
【００８８】
次いで、ＣＰＵ３３１は、ステップＳ１０１で設定された画面解像度を、画面解像度データ３３３１として、クライアント端末装置３の記憶部３３３に記憶させる（ステップＳ１０２）。
【００８９】
次いで、ＣＰＵ３３１は、ステップＳ１０１で設定された画面解像度と、クライアント端末装置３のクライアント識別番号とを、クライアント端末装置３の無線通信部３２から、サーバ装置１の無線通信部１４に送信する（ステップＳ１０３）。
【００９０】
次いで、無線通信部１４が、無線通信部３２から送信された画面解像度とクライアント
識別番号とを受信すると（ステップＳ１０４）、サーバ装置１のＣＰＵ１１１は、画面解像度記憶プログラム１１３２を実行して、例えば、図３に示すように、当該受信した画面解像度（例えば、「ＨＤ」）と、当該受信したクライアント識別番号（例えば、「１５」）とを対応付けて、画面・映像データテーブル１１３１の「画面解像度」記憶領域１１３１ｂと、「クライアント識別番号」記憶領域１１３１ａとに記憶させ（ステップＳ１０５）、本処理を終了する。
[映像情報の解像度変換処理]
次に、クライアント・サーバシステムＳにおける、クライアント端末装置３に接続される表示装置４に表示する映像情報の解像度変換に関する処理について、図６のフローチャートを参照して説明する。
【００９１】
まず、クライアント端末装置３のＣＰＵ３３１は、信号受信部３１が、リモコン５から送信された映像情報の送信要求に関する信号を受信したか否かを判断する（ステップＳ２０１）。
【００９２】
ステップＳ２０１において、信号受信部３１が、リモコン５から送信された映像情報の送信要求に関する信号を受信していないと判断すると（ステップＳ２０１；Ｎｏ）、ＣＰＵ３３１はステップＳ２０１の処理を繰り返して行う。
【００９３】
一方、ステップＳ２０１において、信号受信部３１が、リモコン５から送信された映像情報の送信要求に関する信号を受信したと判断すると（ステップＳ２０１；Ｙｅｓ）、ＣＰＵ３３１は、当該信号に基づく映像情報の送信要求と、クライアント端末装置３のクライアント識別番号とを、クライアント端末装置３の無線通信部３２から、サーバ装置１の無線通信部１４に送信する（ステップＳ２０２）。
【００９４】
具体的には、例えば、クライアント識別番号「１５」のクライアント端末装置３の無線通信部３２から、映像識別番号「２８」の映像情報の送信要求が送信されたとする。
【００９５】
次いで、無線通信部１４が、無線通信部３２から送信された映像情報の送信要求と、クライアント識別番号とを受信して受け付けると（ステップＳ２０３）、サーバ装置１のＣＰＵ１１１は、例えば、図４に示すように、画面・映像データテーブル１１３１の「クライアント識別番号」記憶領域１１３１ａに記憶されたクライアント識別番号のうちの、当該受け付けたクライアント識別番号（例えば、「１５」）と同一のクライアント識別番号に対応付けて、当該受け付けた映像情報の送信要求に対応する映像情報の映像識別番号（例えば、「２８」）を、「映像識別番号」記憶領域１１３１ｃに記憶させる（ステップＳ２０４）。
【００９６】
次いで、ＣＰＵ１１１は、映像情報取得プログラム１１３３を実行して、ステップＳ２０３で受け付けた映像情報の送信要求に対応するＨＤ映像情報を、各種映像機器２から取得する（ステップＳ２０５）。
【００９７】
次いで、ＣＰＵ１１１は、送信可能解像度判断プログラム１１３４を実行して、画面・映像データテーブル１１３１の「映像識別番号」記憶領域１１３１ｃから、ステップＳ２０３で受け付けた映像情報の送信要求に対応する映像情報の映像識別番号（例えば、「２８」）と同一の映像識別番号を選び出し、画面・映像データテーブル１１３１の「画面解像度」記憶領域１１３１ｂから、当該選び出した映像識別番号に対応する画面解像度を抽出する。そして、当該抽出した画面解像度の中に、「ＳＤ」があるか否かを判別し、ステップＳ２０５で取得したＨＤ映像情報を、ＳＤ映像情報に変換すべきか否かを判断する（ステップＳ２０６）。
【００９８】
ステップＳ２０６において、抽出した画面解像度の中に、「ＳＤ」があると判別して、ステップＳ２０５で取得したＨＤ映像情報を、ＳＤ映像情報に変換すべきと判断すると（ステップＳ２０６；Ｙｅｓ）、ＣＰＵ１１１は、解像度変換部１２に、ステップＳ２０５で取得したＨＤ映像情報をＳＤ映像情報に変換させる（ステップＳ２０７）。
【００９９】
具体的には、例えば、図３に示す画面・映像データテーブル１１３１においては、画面・映像データテーブル１１３１の「映像識別番号」記憶領域１１３１ｃから、ステップＳ２０３で受け付けた映像情報の送信要求に対応する映像情報の映像識別番号（例えば、「２８」）と同一の映像識別番号を選び出すと、クライアント識別番号「０１」，「０８」，「１３」，「１５」に対応する映像識別番号が選び出される。そして、画面・映像データテーブル１１３１の「画面解像度」記憶領域１１３１ｂから、当該選び出した映像識別番号に対応する画面解像度を抽出すると、「ＨＤ」（対応するクライアント識別番号「０１」，「１３」，「１５」）と「ＳＤ」（対応するクライアント識別番号「０８」）とが抽出される。この場合、ステップＳ２０６において、ＣＰＵ１１１は、送信可能解像度判断プログラム１１３４を実行して、抽出した画面解像度の中に、「ＳＤ」があると判別し、ステップＳ２０５で取得したＨＤ映像情報を、ＳＤ映像情報に変換すべきと判断する。
【０１００】
次いで、ＣＰＵ１１１は、映像情報送信プログラム１１３５を実行して、ステップＳ２０７で変換されたＳＤ映像情報をエンコーダ１３でエンコードし、当該エンコードされたＳＤ映像情報にＳＤ情報を付与し、当該ＳＤ情報が付与されたＳＤ映像情報を、無線通信部１４から、クライアント端末装置３の無線通信部３２に送信する（ステップＳ２０８）。
【０１０１】
具体的には、ＳＤ情報が付与されたＳＤ映像情報（例えば、映像識別番号「２８」）は、クライアント識別番号「０１」，「０８」，「１３」，「１５」のクライアント端末装置３に送信される。
【０１０２】
次いで、無線通信部３２が、無線通信部１４から送信されたＳＤ情報が付与されたＳＤ映像情報を受信すると（ステップＳ２０９）、クライアント端末装置３のＣＰＵ３３１は、クライアント端末装置３の記憶部３３３に記憶された画面解像度データ３３３１に基づいて、クライアント端末装置３に接続される表示装置４の画面解像度がＳＤか否かを判断する（ステップＳ２１０）。
【０１０３】
ステップＳ２１０において、クライアント端末装置３に接続される表示装置４の画面解像度が、ＳＤであると判断すると（ステップＳ２１０；Ｙｅｓ）、ＣＰＵ３３１は、デコーダ３４に、ステップＳ２０９で受信したＳＤ映像情報をデコードさせ、映像情報表示プログラム３３３３を実行して、当該デコードされたＳＤ映像情報を、表示装置４に表示させる（ステップＳ２１１）。そして、ＣＰＵ３３１は、ステップＳ２０１の処理を繰り返して行う。
【０１０４】
具体的には、例えば、クライアント識別番号「０８」のクライアント端末装置３に接続される表示装置４の画面解像度はＳＤであるため（図４参照）、ステップＳ２０９で受信したＳＤ映像情報は、ステップＳ２１１で表示装置４に表示される。
【０１０５】
一方、ステップＳ２１０において、クライアント端末装置３に接続される表示装置４の画面解像度が、ＳＤでないと判断すると（ステップＳ２１０；Ｎｏ）、ＣＰＵ３３１は、デコーダ３４に、ステップＳ２０９で受信したＳＤ映像情報をデコードさせ、解像度変換部３５に、当該デコードされたＳＤ映像情報を、ＨＤ映像情報に変換させる（ステップＳ２１２）。
【０１０６】
次いで、ＣＰＵ３３１は、映像情報表示プログラム３３３３を実行して、ステップＳ２１２で変換されたＨＤ映像情報を、表示装置４に表示させる（ステップＳ２１３）。そして、ＣＰＵ３３１は、ステップＳ２０１の処理を繰り返して行う。
【０１０７】
具体的には、例えば、クライアント識別番号「０１」，「１３」，「１５」のクライアント端末装置３に接続される表示装置４の画面解像度はＳＤでなくＨＤであるため（図４参照）、ステップＳ２０９で受信したＳＤ映像情報は、ステップＳ２１２でＨＤ映像情報に変換されてから、ステップＳ２１３で表示装置４に表示される。
【０１０８】
一方、ステップＳ２０６において、抽出した画面解像度の中に、「ＳＤ」がないと判別して、ステップＳ２０５で取得したＨＤ映像情報を、ＳＤ映像情報に変換すべきでないと判断すると（ステップＳ２０６；Ｎｏ）、ＣＰＵ１１１は、ステップＳ２０５で取得したＨＤ映像情報をエンコーダ１３でエンコードし、当該エンコードされたＨＤ映像情報を、無線通信部１４から、クライアント端末装置３の無線通信部３２に送信する（ステップＳ２１４）。
【０１０９】
次いで、無線通信部３２が、無線通信部１４から送信されたＨＤ映像情報を受信すると（ステップＳ２１５）、ＣＰＵ３３１は、デコーダ３４に、ステップＳ２１５で受信したＨＤ映像情報をデコードさせ、映像情報表示プログラム３３３３を実行して、当該デコードされたＨＤ映像情報を、表示装置４に表示させる（ステップＳ２１６）。そして、ＣＰＵ３３１は、ステップＳ２０１の処理を繰り返して行う。
【０１１０】
以上説明した本発明のクライアント・サーバシステムＳによれば、画面・映像データテーブル１１３１によって、クライアント端末装置３に接続される表示装置４の画面解像度と、クライアント端末装置３を識別するクライアント識別番号とを対応付けて記憶することができ、ＣＰＵ１１１が送信可能解像度判断プログラム１１３４を実行することによって、無線通信部１４が受け付けたクライアント端末装置３のクライアント識別番号と、画面・映像データテーブル１１３１に記憶されたクライアント識別番号とに基づいて、無線通信部１４が同一の映像情報の送信要求を受け付けたクライアント端末装置３の中に、画面解像度がＳＤの表示装置４を接続するクライアント端末装置３があるか否かを判別することによって、ＣＰＵ１１１が映像情報取得プログラム１１３３を実行することにより取得されたＨＤ映像情報を、ＳＤ映像情報に変換すべきか否かを判断することができ、解像度変換部１２によって、ＣＰＵ１１１が送信可能解像度判断プログラム１１３４を実行することにより、無線通信部１４が同一の映像情報の送信要求を受け付けたクライアント端末装置３の中に画面解像度がＳＤの表示装置４を接続するクライアント端末装置３があると判別して、ＨＤ映像情報をＳＤ映像情報に変換すべきと判断された場合、ＣＰＵ１１１が映像情報取得プログラム１１３３を実行することにより取得されたＨＤ映像情報を、ＳＤ映像情報に変換することができる。
【０１１１】
すなわち、サーバ装置１は、クライアント端末装置３に接続される表示装置４の画面解像度を考慮して、クライアント端末装置３に送信すべき映像情報の解像度を判断することができる。その一方で、サーバ装置１が備える解像度変換部は、ＨＤ映像情報をＳＤ映像情報に変換する解像度変換部１２のみである。したがって、表示装置４に表示される画質をできるだけ落とさず、サーバ装置１のコストを抑えることができる。
【０１１２】
さらに、ＣＰＵ１１１が映像情報送信プログラム１１３５を実行することによって、解像度変換部１２により変換されたＳＤ映像情報に、当該映像情報の解像度がＳＤである旨のＳＤ情報を付与し、ＳＤ情報が付与されたＳＤ映像情報を、無線通信部１４から、無線通信部１４が映像情報の送信要求を受け付けたクライアント端末装置３の無線通信部３２に送信することができ、クライアント端末装置３が備える解像度変換部３５は、当該送信された、ＳＤ情報が付与されたＳＤ映像情報を、ＳＤ情報に基づいてクライアント端末装置３に接続された表示装置４の画面解像度に適合するように変換することができる。
【０１１３】
すなわち、クライアント端末装置３は、サーバ装置１から送信されたＳＤ情報に基づいて、映像情報の解像度を認識することができる。具体的には、クライアント端末装置３は、サーバ装置１から送信された映像情報のうち、ＳＤ情報が付与された映像情報を、ＳＤ
映像情報と認識し、ＳＤ情報が付与されていない映像情報を、ＨＤ映像情報と認識することができる。したがって、クライアント端末装置３は、サーバ装置１から送信された映像情報の解像度をチェックする必要がないため、効率がよい。
【０１１４】
また、映像情報が表示装置４に入力される前に、クライアント端末装置３において、サーバ装置１から送信された映像情報の解像度を、表示装置４の画面解像度に合わせることができるため、表示装置４を見ている人に違和感を与えてしまうことがない。
【０１１５】
さらに、ＣＰＵ３３１が画面解像度設定・送信プログラム３３３２を実行することによって、クライアント端末装置３に接続される表示装置４の画面解像度を設定することができ、当該設定された画面解像度と、クライアント端末装置３のクライアント識別番号とを、無線通信部３２から、サーバ装置１の無線通信部１４に送信することができ、ＣＰＵ１１１が画面解像度記憶プログラム１１３２を実行することによって、当該送信された画面解像度とクライアント識別番号とを対応付けて画面・映像データテーブル１１３１に記憶させることができる。
【０１１６】
すなわち、サーバ装置１は、クライアント端末装置３に接続される表示装置４の画面解像度を、随時、把握することができるため、クライアント端末装置３に接続される表示装置４の画面解像度を、適切に考慮することができる。
【０１１７】
なお、本発明は、上記した実施の形態のものに限るものではなく、その要旨を逸脱しない範囲で適宜変更可能である。
【０１１８】
例えば、ＣＰＵ１１１は、送信可能解像度判断プログラム１１３４を実行することによって、所定の条件として、無線通信部１４が同一の映像情報の送信要求を受け付けたクライアント端末装置３の中に、画面解像度がＳＤの表示装置４を接続するクライアント端末装置があるか否かを判別して、ＨＤ映像情報をＳＤ映像情報に変換すべきか否かを判断するだけでなく、例えば、所定の条件として、映像情報送信レートや、サーバ装置１が映像情報を送信するクライアント端末装置３の個数などの条件に基づいて、ＨＤ映像情報をＳＤ映像情報に変換すべきか否かを判断するようにしてもよい。また、これらの条件を複数組み合わせて判断するようにしてもよい。
【図面の簡単な説明】
【０１１９】
【図１】本発明の実施の形態におけるクライアント・サーバシステムの全体構成を示す図である。
【図２】本発明の実施の形態におけるサーバ装置の機能的構成を示すブロック図である。
【図３】図２に示した画面・映像データテーブルのデータ構造を示す図である。
【図４】本発明の実施の形態におけるクライアント端末装置の機能的構成を示すブロック図である。
【図５】クライアント・サーバシステムにおける、クライアント端末装置に接続される表示装置の画面解像度の設定に関する処理を説明するためのフローチャートである。
【図６】クライアント・サーバシステムにおける、クライアント端末装置に接続される表示装置に表示する映像情報の解像度変換に関する処理を説明するためのフローチャートである。
【符号の説明】
【０１２０】
１  サーバ装置
３  クライアント端末装置
４  表示装置
１２  解像度変換部（サーバ解像度変換手段）
１４  無線通信部（受付手段、映像情報送信手段）
３２  無線通信部（画面解像度送信手段）
３５  解像度変換部（クライアント解像度変換手段）
１１１  ＣＰＵ（記憶制御手段、取得手段、判断手段、映像情報送信手段）
３３１  ＣＰＵ（設定手段、画面解像度送信手段、表示制御手段）
１１３１  画面・映像データテーブル（記憶手段）
１１３２  画面解像度記憶プログラム（記憶制御手段）
１１３３  映像情報取得プログラム（取得手段）
１１３４  送信可能解像度判断プログラム（判断手段）
１１３５  映像情報送信プログラム（映像情報送信手段）
３３３２  画面解像度設定・送信プログラム（設定手段、画面解像度送信手段）
３３３３  映像情報表示プログラム（表示制御手段）
Ｎ  無線ネットワーク
Ｓ  クライアント・サーバシステム
【図１】
2006319842.tif 000003
【図２】
2006319842.tif 000004
【図３】
2006319842.tif 000005
【図４】
2006319842.tif 000006
【図５】
2006319842.tif 000007
【図６】
2006319842.tif 000008